(57)【要約】      （修正有）【課題】必要数の線香やろうそくを簡単に取り出すことができ、携帯に便利な線香ろうそく携帯容器を提供する。【解決手段】この線香ろうそく携帯容器１は、筒状容器２と、蓋と、筒状容器２を仕切って形成した線香収納部５とろうそく収容部６を有し、線香収納部５およびろうそく収納部６の側壁内面にはそれぞれガイド溝７，８が設けられていて、ガイド溝７，８にある線香またはろうそくを取り出すための取出し穴９，１０が蓋に設けられている。【選択図】図１
0003163400.tif 000002
【実用新案登録請求の範囲】
【請求項１】
筒状容器と、蓋と、筒状容器を仕切って形成した線香収納部とろうそく収容部を有し、納部およびろうそく収納部の側壁内面にはそれぞれガイド溝が設けられていて、ガイド溝にある線香またはろうそくを取り出すための取出し穴が蓋に設けられている線香ろうそく携帯容器。
【請求項２】
線香収納部とろうそく収容部を仕切る仕切り板と側壁内面がつながる隅部にガイド溝が設けられており、線香収納部とろうそく収容部の底面はそれぞれ傾斜していて、ガイド溝が設けられた箇所が最も深くなっている請求項１に記載の線香ろうそく携帯容器。
【請求項３】
筒状容器および蓋はそれぞれ円筒状であり、相互に回転可能に取り付けられ、この回転によって蓋の取出し穴が移動してガイド溝の上部を開閉するようになした請求項１または請求項２に記載の線香ろうそく携帯容器。
【考案の詳細な説明】
【技術分野】
【０００１】
この考案は、線香とろうそくを携帯するための容器に関する。
【背景技術】
【０００２】
寺や神社へ参拝に行ったり、墓参りするときに線香やろうそくを携帯する。通常、線香やろうそくは、多くの本数を箱に詰めた状態で販売されており、参拝者らは、箱ごと携帯し、必要本数を取り出して使用している。また、このような場合に線香やろうそくを収納する携帯容器が、特許文献１や特許文献２などに記載されている。特許文献１の線香容器は、容器の底部などに波形形状を形成し、線香を固定するようになっている。また、特許文献２の墓参りセットは、線香、ろうそく、マッチ、布施袋、掃除用具をひとつに纏め袋に収納する構成となっている。
【０００３】
また、特許文献１や特許文献２などにも線香やろうそくを収納する携帯容器が、記載されている。特許文献１の線香容器は、容器の底部などに波形形状を形成し、線香を固定するようになっている。さらに、特許文献２の墓参りセットは、線香、ろうそく、マッチ、布施袋、掃除用具をひとつに纏め袋に収納する構成となっている。
【先行技術文献】
【特許文献】
【０００４】
【特許文献１】実開平６−３０１２７号公開実用新案公報
【特許文献２】特開２００３−１５３６３５号公開公報
【考案の概要】
【考案が解決しようとする課題】
【０００５】
一般的に販売されているろうそくや線香は、多数本が箱に詰められているため、必要本数だけを取り出しにくい。特に、線香は折れやすく、１本ずつ取り出すのには不便である。特許文献１に記載の線香入れは、底部などに波形形状を有するので、持ち運び中に線香が移動せず、線香に描かれた図柄が崩れないが、線香の取出しは通常の箱よりも不便である。特許文献２の墓参りセットも線香やろうそくが１の容器にセットされているが、取出しにくさの解消については何の記載もない。
【０００６】
この考案は、必要数の線香やろうそくを簡単に取り出すことができ、携帯に便利な線香ろうそく携帯容器を提供することを目的とする。
【課題を解決するための手段】
【０００７】
上述の課題を解決するため、この考案の線香ろうそく携帯容器は、筒状容器と、蓋と、筒状容器を仕切って形成した線香収納部とろうそく収容部を有し、線香収納部およびろうそく収納部の側壁内面にはそれぞれガイド溝が設けられていて、ガイド溝にある線香またはろうそくを取り出すための取出し穴が蓋に設けられている。これに加えて、線香収納部とろうそく収容部を仕切る仕切り板と側壁内面がつながる隅部にガイド溝が設けられており、線香収納部とろうそく収容部の底面はそれぞれ傾斜していて、ガイド溝が設けられた箇所が最も深くなっていることが好ましい。さらに、筒状容器および蓋はそれぞれ円筒状であり、相互に回転可能に取り付けられ、この回転によって蓋の取出し穴が移動してガイド溝の上部を開閉することが好ましい。
【考案の効果】
【０００８】
この考案の線香ろうそく携帯容器は、一つの容器で多数のろうそくや線香を持ち運ぶことができ、しかも必要な本数を簡単に取り出すことができる。取出しにおいて、線香などが折れたりしにくい。
【図面の簡単な説明】
【０００９】
【図１】線香ろうそく携帯容器を示す斜視図である。
【図２】同平面図である。
【図３】線香ろうそく携帯容器の蓋が閉まった状態を示す斜視図である。
【図４】線香ガイド溝が開放した状態を示す平面図である。
【図５】ろうそくガイド溝が開放した状態を示す平面図である。
【図６】筒状容器上部と蓋を示す断面図である。
【図７】ストッパーを示す斜視図である。
【考案を実施するための形態】
【００１０】
この考案を実施するための最良の形態について説明する。図１は線香ろうそく携帯容器を示す斜視図、図２は同平面図果樹用保護カバーの概要を示す概念図、図３は線香ろうそく携帯容器の蓋が閉まった状態を示す斜視図である。
【００１１】
線香ろうそく携帯容器１は、筒状容器２と、この筒状容器２に着脱する蓋３を有する。筒状容器２は円筒状であることが好ましく、四角柱などの場合も蓋との合わせ部は円形にすることが好ましい。この例では、筒状容器２は円筒状であり、上部において外径が蓋３の厚さ分だけ小さくなっており、円筒状の蓋３との合わせ部になっている。
【００１２】
筒状容器２は仕切り板４によって区切られており、線香収納部５とろうそく収容部６を有する。線香収納部５とろうそく収容部６はほぼ同じ大きさであってもよく、どちらか一方をより大きくしてもよい。筒状容器２の側壁と仕切り板４がつながる箇所において、側壁はやや厚くなっている。
【００１３】
線香収納部５の側壁で、仕切り板４に近い位置には、線香ガイド溝７が設けられている。この線香ガイド溝７は筒状容器２の長さ方向に沿っており、１〜３本の線香が入る大きさになっている。たとえば図２に示すように線香１本が入る大きさの線香ガイド溝７ａと、そこから線香１本の太さ分程度の距離を置いて線香２本が入る大きさの線香ガイド溝７ｂを設けることができる。
【００１４】
ろうそく収納部６の側壁で、仕切り板４に近い位置には、ろうそくガイド溝８が設けられている。このろうそくガイド溝８も筒状容器２の長さ方向に沿っており、１〜２本の線香が入る大きさになっている。ここではろうそく１本が入る大きさのろうそく溝８を２本連接させて設けている。
【００１５】
線香ガイド溝７とろうそくガイド溝８は相互に離れた位置に設けられている。すなわち、仕切り板４の一端側に線香ガイド溝７が設けられていて、他端側にろうそくガイド溝８が設けられている。
【００１６】
線香収納部５およびろうそく収納部６の底面は傾斜している。それぞれ、ガイド溝７，８が設けられた箇所が最も深くなるように傾斜している。
【００１７】
蓋３の上部で外縁付近には、線香取出し口９とろうそく取出し口１０が設けられている。線香取出し口９は線香ガイド溝７の断面形状にほぼ合わせた形状および大きさであり、ろうそく取出し口１０はろうそくガイド溝８に合わせてある。
【００１８】
図４は、線香ガイド溝が開放された状態を示す平面図、図５はろうそくガイド溝が開放した状態を示す平面図である。蓋３を筒状容器２に取り付け、線香取出し口９を線香ガイド溝７の上部に合わせると、線香ガイド溝７が開放状態になる。このとき、ろうそく取出し口１０はろうそくガイド溝８の上に位置しないように配置している。この状態で線香取出し口９が下を向くように筒状容器２を傾けると、線香ガイド溝８に収まっている線香のみが線香取出し口９よりその先端部を外に出す。１本の線香と２本の線香が若干の距離を置いて出てくるので、必要に応じて１〜３本のうち任意の本数を取り出すことができる。蓋３を取り外すことなく線香を取り出すことができる。また、大量の線香が一度に出てくるような問題は生じない。線香は線香ガイド溝８に沿って真っすぐ出てくるので、折り曲げるような力がかからない。
【００１９】
ろうそくを取り出すときは、図５に示すようにろうそく取出し口１０をろうそくガイド溝８の上部に合わせる。こうして、１本または２本のろうそくを取り出すことができる。
【００２０】
つぎに、筒状容器２と蓋３の合わせ部の例について説明する。図６は、筒状容器上部と蓋を示す断面図である。蓋３の下端部内周面には、円環状に突起部１１が設けられている。一方、筒状容器２の上部の外周面には円環状に溝１２が設けられている。筒状容器２に蓋３を取り付けたときに、突起部１１が溝１２に入り込むように配置されている。蓋３は薄い金属板やプラスティック、紙などで作られており、力を加えるとある程度変形できる。したがって、ある程度の力を加えて押し込むことによって、突起部１１が溝１２に入るように取り付けることができる。突起部１１が溝１２に入った後は、強く引き上げない限り蓋３は筒状容器２から離れない。また、突起１１と溝１３の連結により、回転方向にも適度な抵抗が生じ、力を加えることなく蓋３が回転することはない。しかし、若干の力を加えれば、蓋３はスムーズに回転し、線香ガイド溝７やろうそくガイド溝８の開閉を簡単に行うことができる。
【００２１】
さらに、ストッパーの例について説明する。図７は、ストッパーの例を示す斜視図である。筒状容器２の上縁の一部に切り込み部１３が設けられている。一方、蓋３の裏側には突起１４が設けられている。ここで、切り込み部１３の幅は突起１４の幅よりも広く設定されている。そして、筒状容器２に蓋３を取り付けたときに、突起１４を切り込み部１３の中に収めることができるように配置されている。
【００２２】
切り込み部１３の幅の範囲内において突起１４は移動できる。こうして、筒状容器２と蓋３の回転を所定の範囲に制限することができる。ここでは、切り込み部１３の位置と幅を次のように設定している。すなわち、回転可能範囲内において、線香取出し口９は線香ガイド溝７の出口を開閉でき、ろうそく取出し口１０はろうそくガイド溝８の出口を開閉できる。しかし、線香取出し口９はろうそくガイド溝８の上に行くことができず、ろうそく取出し口１０は線香ガイド溝７の上に行くことができない。
【００２３】
なお、蓋３を取り外すことによって、筒状容器２の上部は完全に開放されるので、筒状容器２への線香やろうそくの詰め込みは容易である。参拝先では、蓋３を取り外すことなく、必要本数の線香とろうそくを簡単に取り出すことができる。たとえば、四国霊場巡りなどの参拝では一日のうちでも多数の寺院を回ることになり、線香やろうそくの取出しも頻繁に行われる。習慣として、最初にろうそくを１本取出し、次に線香を３本取出す。たとえば、線香ガイド溝７を線香３本部、ろうそくガイド溝８をろうそく１本分で構成すれば、まず、ろうそくガイド溝８を開放して一振りし、ついで線香ガイド溝７を開放してもう一振りすることによって、簡単に取り出すことができる。また、手持ち用ひも１５を取り付けることによって、携帯に便利になる
【符号の説明】
【００２４】
１．線香ろうそく携帯容器
２．筒状容器
３．蓋
４．仕切り板
５．線香収納部
６．ろうそく収容部
７．線香ガイド溝
８．ろうそくガイド
９．線香取出し口
１０．ろうそく取出し口
１１．突起部
１２．溝
１３．切り込み
１４．突起
１５．手持ちひも
【図１】
0003163400.tif 000003
【図２】
0003163400.tif 000004
【図３】
0003163400.tif 000005
【図４】
0003163400.tif 000006
【図５】
0003163400.tif 000007
【図６】
0003163400.tif 000008
【図７】
0003163400.tif 000009